(57)【要約】【課題】演算によって、ＣＡＶ駆動のＣＬＶフォーマットを実現するフォーマッタ駆動クロックを、厳密かつ正確に求めて、これを用いる露光で情報トラックを形成する。【解決手段】光ディスクのガラス原盤５を搭載のターンテーブルＴを回転させる駆動モータ８，エンコーダ７等の回転駆動手段と、情報トラックに光ビームを収束照射する露光光学系２，フォーカスアクチュエータ４等の収束露光手段と、光ビームの収束照射手段をガラス原盤５と平行な平面内で横移動させるエアスライダモータ１０，モータドライバ１１等の横送り手段と、回転駆動手段と横送り駆動手段の制御によって、ＣＡＶ駆動して露光する光ディスク原盤露光装置にて、ターンテーブルの回転角速度ω0、ＣＬＶ駆動開始半径Ｒ0、トラックピッチＰから、演算によって、フォーマッタ駆動クロックを厳密かつ正確に求め、ガラス原盤５上にＣＡＶ駆動されるＣＬＶフォーマットの情報トラックを形成する。【選択図】図１
2004319059.tif 000002
【特許請求の範囲】
【請求項１】
光ディスク原盤露光装置において、ＣＡＶ駆動される光ディスク原盤上にＣＬＶフォーマットからなる等ピッチスパイラル状の情報トラックを形成するためのフォーマッタ駆動クロック生成方法であって、
トラックピッチ、ＣＡＶ駆動される前記光ディスク原盤の回転角周波数、前記ＣＬＶフォーマットの情報トラックの基本線分長、およびＣＬＶ駆動開始半径位置から得たクロック発生時刻を用いて生成することを特徴とするフォーマッタ駆動クロック生成方法。
【請求項２】
前記クロック発生時刻を用いて生成した複数個のクロックを含む任意のクロック間において、前記クロック間に含まれるクロックの数で除算して求めた平均時間間隔を用いて生成することを特徴とする請求項１記載のフォーマッタ駆動クロック生成方法。
【請求項３】
前記平均時間間隔を求めるために演算されるクロック位置が、パルス発生位置の分解能以下となるように、平均化対象のクロックの数を設定することを特徴とする請求項２記載のフォーマッタ駆動クロック生成方法。
【請求項４】
光ディスク原盤露光装置において、ＣＡＶ駆動される光ディスク原盤上にＣＬＶフォーマットからなる等ピッチスパイラル状の情報トラックを形成するためのフォーマッタ駆動クロック生成方法であって、
トラックピッチ、ＣＡＶ駆動される前記光ディスク原盤の回転角周波数、前記ＣＬＶフォーマットの情報トラックの基本線分長、およびＣＬＶ駆動開始半径位置から得たクロック発生時刻により生成したクロック列の周期を用いて生成することを特徴とするフォーマッタ駆動クロック生成方法。
【請求項５】
前記クロック発生時刻を用いて生成した複数個のクロックを含む任意のクロック間において、前記クロック間に含まれるクロック列の平均クロック周期を用いて生成することを特徴とする請求項４記載のフォーマッタ駆動クロック生成方法。
【請求項６】
前記平均クロック周期を求めるために演算されるクロック周期が、パルス発生周期の分解能以下となるように、平均化対象のクロックの数を設定することを特徴とする請求項５記載のフォーマッタ駆動クロック生成方法。
【請求項７】
光ディスク原盤露光装置において、ＣＡＶ駆動される光ディスク原盤上にＣＬＶフォーマットからなる等ピッチスパイラル状の情報トラックを形成するためのフォーマッタ駆動クロック生成方法であって、
トラックピッチ、ＣＡＶ駆動される前記光ディスク原盤の回転角周波数、前記ＣＬＶフォーマットの情報トラックの基本線分長、およびＣＬＶ駆動開始半径位置から得たクロック発生時刻により生成したクロック列の周期差分を用いて生成することを特徴とするフォーマッタ駆動クロック生成方法。
【請求項８】
前記クロック発生時刻を用いて生成した複数個のクロックを含む任意のクロック間において、前記クロック間に含まれるクロック列の周期差分の平均差分値を用いて生成することを特徴とする請求項７記載のフォーマッタ駆動クロック生成方法。
【請求項９】
前記平均クロック周期差分値を求めるために演算されるクロック周期差分が、パルス発生周期の分解能以下となるように、平均化対象のクロックの数を設定することを特徴とする請求項８記載のフォーマッタ駆動クロック生成方法。
【請求項１０】
前記複数個のクロックを含む任意のクロック間において、前記クロック間の近似を行う間隔をトラック毎、または前記トラックより小さい単位で行うことを特徴とする請求項２，５または８記載のフォーマッタ駆動クロック生成方法。
【請求項１１】
光ディスク原盤露光装置において、ＣＡＶ駆動される光ディスク原盤上にＣＬＶフォーマットからなる等ピッチスパイラル状の情報トラックを形成するためのフォーマッタ駆動クロック生成方法であって、
形成される前記等ピッチスパイラル状の情報トラックで構成されるＣＬＶフォーマットの任意の回転角毎に、前記回転角中に含まれるフォーマッタ駆動クロックの数が一定の整数個ずつ増加するように構成されたＣＬＶフォーマット形成において、前記任意の回転角に対応したフォーマッタ駆動クロック毎に、周期端数累積レジスタ、あるいは周期差端数累積レジスタの値を初期設定することを特徴とするフォーマッタ駆動クロック生成方法。
【請求項１２】
光ディスク原盤露光装置において、ＣＡＶ駆動される光ディスク原盤上にＣＬＶフォーマットからなる等ピッチスパイラル状の情報トラックを形成するためのフォーマッタ駆動クロック生成装置であって、
トラックピッチ、ＣＡＶ駆動される前記光ディスク原盤の回転角周波数、前記ＣＬＶフォーマットの情報トラックの基本線分長、およびＣＬＶ駆動開始半径位置の各値を求める検出手段と、前記検出手段により得た値に基づきクロック発生時刻を得る演算手段と、前記演算手段の出力に応じてフォーマッタ駆動クロックを生成するカウント手段とを備えたことを特徴とするフォーマッタ駆動クロック生成装置。
【請求項１３】
前記演算手段のクロック発生時刻を用いて生成した複数個のクロックを含む任意のクロック間において、前記クロック間に含まれるクロックの数で除算して求めた平均時間間隔を得る平均算出手段を備え、前記平均算出手段の出力に応じてカウント手段によりフォーマッタ駆動クロックを生成することを特徴とする請求項１２記載のフォーマッタ駆動クロック生成装置。
【請求項１４】
前記平均算出手段において演算されるクロック位置が、パルス発生位置の分解能以下となるように、平均化対象のクロックの数を設定する設定手段を備えたことを特徴とする請求項１３記載のフォーマッタ駆動クロック生成装置。
【請求項１５】
光ディスク原盤露光装置において、ＣＡＶ駆動される光ディスク原盤上にＣＬＶフォーマットからなる等ピッチスパイラル状の情報トラックを形成するためのフォーマッタ駆動クロック生成装置であって、
トラックピッチ、ＣＡＶ駆動される前記光ディスク原盤の回転角周波数、前記ＣＬＶフォーマットの情報トラックの基本線分長、およびＣＬＶ駆動開始半径位置の各値を求める検出手段と、前記検出手段により得た値に基づくクロック発生時刻により生成したクロック列の周期を得る演算手段と、前記演算手段の出力に応じてフォーマッタ駆動クロックを生成するカウント手段とを備えたことを特徴とするフォーマッタ駆動クロック生成装置。
【請求項１６】
前記演算手段のクロック発生時刻を用いて生成した複数個のクロックを含む任意のクロック間において、前記クロック間に含まれるクロック列の平均クロック周期を得る平均算出手段を備え、前記平均算出手段の出力に応じてカウント手段によりフォーマッタ駆動クロックを生成することを特徴とする請求項１５記載のフォーマッタ駆動クロック生成装置。
【請求項１７】
前記平均算出手段において演算される平均クロック周期が、パルス発生周期の分解能以下となるように、平均化対象のクロックの数を設定する設定手段を備えたことを特徴とする請求項１６記載のフォーマッタ駆動クロック生成装置。
【請求項１８】
光ディスク原盤露光装置において、ＣＡＶ駆動される光ディスク原盤上にＣＬＶフォーマットからなる等ピッチスパイラル状の情報トラックを形成するためのフォーマッタ駆動クロック生成装置であって、
トラックピッチ、ＣＡＶ駆動される前記光ディスク原盤の回転角周波数、前記ＣＬＶフォーマットの情報トラックの基本線分長、およびＣＬＶ駆動開始半径位置の各値を求める検出手段と、前記検出手段により得た値に基づくクロック発生時刻により生成したクロック列の周期差分を得る演算手段と、前記演算手段の出力に応じてフォーマッタ駆動クロックを生成するカウント手段とを備えたことを特徴とするフォーマッタ駆動クロック生成装置。
【請求項１９】
前記演算手段のクロック発生時刻を用いて生成した複数個のクロックを含む任意のクロック間において、前記クロック間に含まれるクロック列の周期差分の平均差分値を得る平均算出手段を備え、前記平均算出手段の出力に応じてカウント手段によりフォーマッタ駆動クロックを生成することを特徴とする請求項１８記載のフォーマッタ駆動クロック生成装置。
【請求項２０】
前記平均算出手段において演算されるクロック周期差分が、パルス発生周期の分解能以下となるように、平均化対象のクロックの数を設定する設定手段を備えたことを特徴とする請求項１９記載のフォーマッタ駆動クロック生成装置。
【請求項２１】
前記平均算出手段が複数個のクロックを含む任意のクロック間において、前記クロック間の近似を行う間隔をトラック毎、または前記トラックより小さい単位で行うことを特徴とする請求項１３，１６または１９記載のフォーマッタ駆動クロック生成装置。
【請求項２２】
光ディスク原盤露光装置において、ＣＡＶ駆動される光ディスク原盤上にＣＬＶフォーマットからなる等ピッチスパイラル状の情報トラックを形成するためのフォーマッタ駆動クロック生成装置であって、
形成される前記等ピッチスパイラル情報トラックで構成されるＣＬＶフォーマットの任意の回転角毎に、前記回転角中に含まれるフォーマッタ駆動クロックの数が一定の整数個ずつ増加するように構成されたＣＬＶフォーマット形成において、任意の回転角に対応したフォーマッタ駆動クロック毎に、周期端数累積レジスタ、あるいは周期差端数累積レジスタの値を初期設定する手段を備えたことを特徴とするフォーマッタ駆動クロック生成装置。
【請求項２３】
請求項１２〜２２のいずれか１項記載のフォーマッタ駆動クロック生成装置と、光ディスク原盤を載置し回転駆動手段により回転するターンテーブルと、前記光ディスク原盤に情報トラックを形成するため情報記録信号に基づいて記録用光ビームの収束照射手段と、前記ターンテーブルまたは前記収束照射手段のいずれか一方を前記光ディスク原盤平面と平行方向に移動させる横送り駆動手段と、前記回転駆動手段，前記横送り駆動手段を制御する駆動制御手段とを有し、前記駆動制御手段により前記光ディスク原盤上に各種フォーマットからなる情報トラックを形成する光ディスク原盤露光装置の駆動クロック生成装置であって、
ターンテーブル回転駆動クロックと横送り駆動クロックとフォーマッタ駆動クロックに用いる同一の基準クロック発生手段と、ＣＬＶ駆動状態のＣＬＶフォーマット形成およびＣＡＶ駆動状態のＣＬＶフォーマット形成に用いるフォーマッタ駆動クロックのクロック切換手段を備えたことを特徴とする駆動クロック生成装置。
【請求項２４】
請求項２３記載の駆動クロック生成装置と、光ディスク原盤を載置し回転駆動手段により回転するターンテーブルと、前記光ディスク原盤に情報トラックを形成するため情報記録信号に基づいて記録用光ビームの収束照射手段と、前記ターンテーブルまたは前記収束照射手段のいずれか一方を前記光ディスク原盤平面と平行方向に移動させる横送り駆動手段と、前記回転駆動手段，前記横送り駆動手段を制御する駆動制御手段とを有する光ディスク原盤露光装置によって、前記駆動制御手段の前記回転駆動手段，前記横送り駆動手段の制御により、前記光ディスク原盤上に各種フォーマットからなる情報トラックを形成する光ディスク原盤露光方法であって、
ＣＬＶ駆動状態のＣＬＶフォーマット露光およびＣＡＶ駆動状態のＣＬＶフォーマット露光を切り換えてＣＬＶフォーマットの露光を行うことを特徴とする光ディスク原盤露光方法。
【請求項２５】
請求項２３記載の駆動クロック生成装置と、光ディスク原盤を載置し回転駆動手段により回転するターンテーブルと、前記光ディスク原盤に情報トラックを形成するため情報記録信号に基づいて記録用光ビームの収束照射手段と、前記ターンテーブルまたは前記収束照射手段のいずれか一方を前記光ディスク原盤平面と平行方向に移動させる横送り駆動手段と、前記回転駆動手段，前記横送り駆動手段を制御する駆動制御手段とを有し、前記駆動制御手段により前記光ディスク原盤上に各種フォーマットからなる情報トラックを形成する光ディスク原盤露光装置であって、
ＣＬＶ駆動状態のＣＬＶフォーマット露光およびＣＡＶ駆動状態のＣＬＶフォーマット露光の露光切換手段を備え、ＣＬＶフォーマットの露光を行うことを特徴とする光ディスク原盤露光装置。
【請求項２６】
請求項２３記載の駆動クロック生成装置と、光ディスク媒体を載置し回転駆動手段により回転するターンテーブルと、前記光ディスク媒体に情報ビット列を形成するため情報記録信号に基づいて記録用光ビームの収束照射手段と、前記ターンテーブルまたは前記収束照射手段のいずれか一方を前記光ディスク媒体平面と平行方向に移動させる横送り駆動手段と、前記回転駆動手段，前記横送り駆動手段を制御する駆動制御手段とを有し、前記駆動制御手段により前記光ディスク媒体上に各種フォーマットからなる前記情報ビット列の情報トラックを形成する光ディスクドライブ装置であって、
ＣＬＶ駆動状態のＣＬＶフォーマット書込みおよびＣＡＶ駆動状態のＣＬＶフォーマット書込みの切換手段を備え、ＣＬＶフォーマット書込みを行うことを特徴とする光ディスクドライブ装置。
【請求項２７】
請求項２５記載の光ディスク原盤露光装置を用いて、ＣＡＶ駆動状態においてＣＬＶフォーマットからなる等ピッチスパイラル状の情報トラックを形成したことを特徴とする光ディスク原盤。
【請求項２８】
請求項２７記載の光ディスク原盤により作成され、ＣＡＶ駆動される光ディスク原盤上にＣＬＶフォーマットからなる等ピッチスパイラル状の情報トラックを有することを特徴とする情報記録媒体。
【発明の詳細な説明】
【技術分野】
【０００１】
本発明は、光ディスク原盤上に露光による情報トラックとして、ＣＡＶ（Ｃonstant Ａngular Ｖelocity；角速度一定）駆動によるＣＬＶ（Ｃonstant Ｌinear Ｖelocity；線速度一定）フォーマット形成に係る、フォーマッタ駆動クロックの生成方法，フォーマッタ駆動クロックの生成装置，駆動クロック生成装置，光ディスク原盤露光方法および光ディスク原盤露光装置と光ディスクドライブ装置並びにこれにより作成した光ディスク原盤と情報記録媒体に関するものである。
【背景技術】
【０００２】
近年、高画質動画像の記録、アクセス速度の速い大容量のストレージ媒体として、光ディスク媒体に対する大容量化の要望が高まっている。また大容量化の方法としては、いくつかの方法があり、近接場光を用いて記録再生を行う光ビームスポット，トラックピッチ，ピット長をさらに小さく形成する方法、光ディスク媒体記録層の多層化、記録情報の多値化等の方法が提案、検討されている。
【０００３】
前記した狭トラックピッチ化においては、隣接トラック間クロストークの問題が絶えず付きまとう。そして、トラックを蛇行させてアドレス情報，回転同期情報を形成したＣＬＶフォーマットディスクに関連した、クロストークの低減方法として、例えば特許文献１に記載された発明がある。ここで開示されているように、隣接トラックウォブルのクロストークによる再生ウォブル信号劣化を防ぐ方法として、現トラックウォブルに対する内外隣接トラックウォブルとの位相関係を特定な関係を維持するものとして、得られる再生信号にクロストークの影響の表れないようにするウォブルフォーマットが考案されている。
【０００４】
しかしながら、実際に前記ウォブルフォーマットを正確に光ディスク原盤上に形成しようとすることはそう簡単ではない。通常の「ＣＬＶ駆動によってＣＬＶウォブルフォーマット露光」を行った場合、露光線速を一定とするためには、露光半径位置が内周から外周へ移動するにつれて光ディスク原盤を載置したターンテーブルの回転数、およびターンテーブルまたは露光光ビームを照射する光学系を搭載した光学移動台の横移動速度を、光ディスク原盤の半径位置に反比例して滑らかに変化（低速化）させる必要がある。
【０００５】
ターンテーブルは高イナーシャを有し、理想的な回転速度に追従させて回転制御し、情報トラック上に形成されるウォブル等に対する有効な隣接トラック間の位相関係を維持できるようなＣＬＶ駆動精度を達成することは極めて困難であった（従来のＣＬＶフォーマットディスクでは、ここまでの精度を必要としなかった）。露光ビーム照射位置補正と併用による露光方法も考えられるが、回転位置の高精度な検出器等の導入が必要となり高価となり、また回転数の制限等の別の不具合も発生し実現性に欠ける。
【０００６】
別の形成方法として「ＣＡＶ駆動でのＣＬＶウォブルフォーマット露光」がある。この場合は、ターンテーブルは一定回転数で回転し、その回転精度は極めて高く得ることができる。隣接トラック間の回転位置精度はウォブル長の数分の１以下の分解能を得るにも十分な精度である。ただし、この場合はＣＡＶ駆動により回転する光ディスク原盤上にＣＬＶウォブルフォーマットを形成するために、ウォブルフォーマット信号を生成するフォーマット信号発生装置の基本動作クロックを光ディスク原盤の半径方向の位置に応じて変化させ、このクロックに応じて生成されるウォブル周期長（時間軸）を変化させる必要が生じる。外周へ進むに従いウォブル周期長（時間軸）は短くする。このとき、原盤上に形成されるウォブルの物理長は一定となる。
【０００７】
また、他の例として、ＣＡＶ駆動方式による駆動の際に、ＣＡＶプリフォーマットおよびＣＬＶプリフォーマットのどちらでも光ディスク原盤の回転送りを安定して行うことができると共に、ピット位置精度が高いプリフォーマット入りの光ディスク原盤を得るために、レーザ光源からのレーザ光の変復調を行い、この変調光を対物レンズにより集光して光ディスク原盤に照射することにより原盤表面にピット形成する光ディスク原盤露光方法として、特許文献２には、光ディスク原盤をＣＡＶ駆動方式で回転させ、変調信号発生手段で駆動制御されるレーザ光変調手段を用いて、光ディスク原盤上に照射されるレーザ光を変調制御し、この変調されたレーザ光によりＣＡＶ駆動方式により回転される光ディスク原盤上にＣＬＶプリフォーマットを形成することが記載されている。
【０００８】
さらに、簡単な構成で加工速度を変化して記録信号精度の高いスタンパの加工を行うため、特許文献３には、スタンパ作成時に、予め信号記憶装置に記憶されるマスタリング用信号を、ＣＰＵで部分的に順次読み取りバッファに格納することを繰り返し、一方変調手段はバッファ内の信号を変調後に一定の信号転送速度で連続的に信号補正手段に出力し、そこで補正されて連続的に出力された信号に基づいてカッティングマシンでは実時間でスタンパ加工を行うことが記載されている。
【０００９】
また、ＣＡＶ駆動による安定した制御で、ガラス原盤上に物理データ長が一定となる情報ピット列を形成するため、レーザ光源より出射されたレーザ光をレーザ変調器で光変調してガラス原盤に照射し、そのガラス原盤をターンテーブルと回転モータで回転、かつ横送りテーブルと送りモータで横移動させて、ガラス原盤に情報ピット列を記録するため、特許文献４には、変調信号制御部が回転信号と送り位置信号を入力し、ＭＰＵからの指令に基づいて、変調信号発生部に加えるクロックを生成、また第１および第２の分周器の設定でガラス原盤をＣＡＶ駆動させて、ガラス原盤上に物理データ長が一定となる情報ピットを記録することが記載されている。
【００１０】
光学式記録装置において、ＣＬＶ制御にあっては信号記録時に記録ディスクの回転速度や光学記録系の送り速度を、ディスクの径方向の位置を検出して可変させ、これを一定の回転速度、送り速度として記録精度を向上させるため、記録用レーザ光を変調するＥＦＭ変調信号の基準クロックをディスクの内周部では基準クロックより低い周波数で、ディスクの外周部では基準クロックより高い周波数とすることによりディスクの外周方向でのピット長の長さが変化することに着目して、ディスクの回転速度や送り速度を可変して記録したと同じような効果をもたらすシステム構成とすることが特許文献５には記載されている。
【００１１】
そして、具体的には図１８に示すように、エンコーダ１０３へ供給される駆動クロックが、連続した露光半径位置の位置情報が演算回路１０１に入力されて演算され、ＰＬＬ回路１０２を経て得られている。ガラス原盤の回転系と集光光学機構の光学送り系を一定速度で駆動させ、記録信号変化用のエンコーダ１０３のクロックを記録位置に比例させた可変クロック信号とすることによって、ＣＬＶ制御による固定基準クロックでエンコードしたＥＦＭ変調信号で記録するのと同じ効果を得る。
【００１２】
さらに、光ディスク原盤露光装置における、スピンドルおよびリニアモータの理想的な、かつ局所的な偏差の少ない高精度なＣＬＶ駆動指令パルスの生成によるＣＬＶ駆動制御方法、またトラック毎の演算誤差に伴う累積的誤差を発生させずに、より理想に近い高精度なＣＬＶ駆動指令パルス生成を可能にするＣＬＶディスクフォーマット、さらにディスク上の各アクセス単位の円周方向の配置およびトラック番号が理想的なＣＬＶディスクフォーマットの記録媒体を提供するために、光ディスク原盤露光装置は、スピンドル１回転毎に、スパイラルの開始半径位置、トラック数およびスパイラルトラックピッチにより定まる理想的トラック長に比例した数の基本クロックのパルス列を分周して生成したスピンドル回転指令パルス列およびスライダ移動指令パルス列によりスピンドルモータおよびスライダの駆動を制御することが特許文献６に記載されている。
【特許文献１】特開２０００−１６３８０９号公報
【特許文献２】特開平５−２３４１５２号公報
【特許文献３】特開平６−８９４６８号公報
【特許文献４】特開平８−２０３１３３号公報
【特許文献５】特開平９−１７１１５号公報
【特許文献６】特開２００１−１４３３７６号公報
【発明の開示】
【発明が解決しようとする課題】
【００１３】
前述の「ＣＡＶ駆動によるＣＬＶフォーマット露光」については、従来の技術においても述べた通りいくつかの方法が提案されている。しかしながら、これらの提案されている方法において、例えば、特許文献２の記載では、具体的な実現方法として、半径位置情報を用いて、かつ電圧制御発振器を介してクロックが生成されており、位置情報精度、アナログ的な不確定さが含まれてしまい十分な精度が保証できない。また、特許文献３において、段落番号［0033］〜［0038］に記載されるように、単位時間あたりのデータ長の値を用いて補正を行っており、この特許文献３のクロック生成においても、電圧制御発振器を介して生成がされており、アナログ的な不確定さが含まれ十分な精度が保証できない。
【００１４】
さらに、特許文献４におけるクロック生成は、ターンテーブルの回転数の積算値、半径位置、ＣＡＶ駆動時間、あるいは線速に比例して変化する基準クロックを持って、フォーマッタ駆動クロックを生成することが記述されているが、いずれも、これらの情報を取得し、その情報に基づきクロックを生成するものであり、また、具体的構成は電圧制御発振器を介した回路構成となっており、アナログ的な不確定さが含まれ十分な精度が保証できず、特に、位置情報を使用する際には、得られるクロックは、その精度にも依存することから、位置情報のフィードバックによる時間的な遅れも発生する。
【００１５】
このように前述した従来例のいずれの場合においても、厳密に正確なＣＬＶフォーマットを形成する方法／構成としては不充分であるという問題があった。
【００１６】
本発明は、前記従来技術の問題を解決することに指向するものであり、ＣＡＶ駆動中の半径位置情報を逐次用いてクロックを生成する従来の方法ではなく、ターンテーブルの回転角速度ω0、ＣＬＶ駆動開始半径Ｒ0、トラックピッチＰから、演算によって、ＣＬＶフォーマットを実現するためのフォーマッタ駆動クロック発生時間を、厳密かつ正確に求めてフォーマッタ駆動クロックとし、これを用いる露光によって情報トラックを形成し光ディスク原盤と情報記録媒体を得ることができる、フォーマッタ駆動クロック生成方法，フォーマッタ駆動クロック生成装置，駆動クロック生成装置，光ディスク原盤露光方法および光ディスク原盤露光装置と光ディスクドライブ装置並びにこれにより作成した光ディスク原盤と情報記録媒体を提供することを目的とする。
【課題を解決するための手段】
【００１７】
この目的を達成するために、請求項１に記載のフォーマッタ駆動クロック生成方法は、光ディスク原盤露光装置において、ＣＡＶ駆動される光ディスク原盤上にＣＬＶフォーマットからなる等ピッチスパイラル状の情報トラックを形成するためのフォーマッタ駆動クロック生成方法であって、トラックピッチ、ＣＡＶ駆動される光ディスク原盤の回転角周波数、ＣＬＶフォーマットの情報トラックの基本線分長、およびＣＬＶ駆動開始半径位置から得たクロック発生時刻を用いて生成することを特徴とし、この方法によって、ＣＡＶ駆動状態で、ＣＬＶフォーマット露光を可能とするフォーマッタ駆動クロックを、その都度の半径位置情報を用いず、アナログ的構成を含まずに、厳密な演算によってフォーマッタ駆動クロックを生成することができる。
【００１８】
請求項２，３に記載のフォーマッタ駆動クロック生成方法は、請求項１記載のフォーマッタ駆動クロック生成方法において、クロック発生時刻を用いて生成した複数個のクロックを含む任意のクロック間において、クロック間に含まれるクロックの数で除算して求めた平均時間間隔を用いて生成すること、さらに、平均時間間隔を求めるために演算されるクロック位置が、パルス発生位置の分解能以下となるように、平均化対象のクロックの数を設定することを特徴とし、この方法によって、より簡便な演算によるフォーマッタ駆動クロックを生成すること、また平均化を行う時間誤差が時間設定の分解能以下の範囲に設定されてクロック発生時間は平均化を行わない場合と同じ結果を得ることができる。
【００１９】
請求項４に記載のフォーマッタ駆動クロック生成方法は、光ディスク原盤露光装置において、ＣＡＶ駆動される光ディスク原盤上にＣＬＶフォーマットからなる等ピッチスパイラル状の情報トラックを形成するためのフォーマッタ駆動クロック生成方法であって、トラックピッチ、ＣＡＶ駆動される光ディスク原盤の回転角周波数、ＣＬＶフォーマットの情報トラックの基本線分長、およびＣＬＶ駆動開始半径位置から得たクロック発生時刻により生成したクロック列の周期を用いて生成することを特徴とし、この方法によって、ＣＡＶ駆動状態で、ＣＬＶフォーマット露光を可能とするフォーマッタ駆動クロックを、その都度の半径位置情報を用いず、アナログ的構成を含まずに、厳密な演算によってフォーマッタ駆動クロックの生成をすることができる。
【００２０】
請求項５，６に記載のフォーマッタ駆動クロック生成方法は、請求項４記載のフォーマッタ駆動クロック生成方法において、クロック発生時刻を用いて生成した複数個のクロックを含む任意のクロック間において、クロック間に含まれるクロック列の平均クロック周期を用いて生成すること、さらに、平均クロック周期を求めるために演算されるクロック周期が、パルス発生周期の分解能以下となるように、平均化対象のクロックの数を設定することを特徴とし、この方法によって、より簡便な演算によるフォーマッタ駆動クロックを生成すること、また平均化を行う時間誤差が周期設定の分解能以下の範囲に設定されてクロック発生周期は平均化を行わない場合と同じ結果を得ることができる。
【００２１】
請求項７に記載のフォーマッタ駆動クロック生成方法は、光ディスク原盤露光装置において、ＣＡＶ駆動される光ディスク原盤上にＣＬＶフォーマットからなる等ピッチスパイラル状の情報トラックを形成するためのフォーマッタ駆動クロック生成方法であって、トラックピッチ、ＣＡＶ駆動される光ディスク原盤の回転角周波数、ＣＬＶフォーマットの情報トラックの基本線分長、およびＣＬＶ駆動開始半径位置から得たクロック発生時刻により生成したクロック列の周期差分を用いて生成することを特徴とし、この方法によって、ＣＡＶ駆動状態で、ＣＬＶフォーマット露光を可能とするフォーマッタ駆動クロックを、その都度の半径位置情報を用いず、アナログ的構成を含まずに、厳密な演算によってフォーマッタ駆動クロックの生成をすることができる。
【００２２】
請求項８，９に記載のフォーマッタ駆動クロック生成方法は、請求項７記載のフォーマッタ駆動クロック生成方法において、クロック発生時刻を用いて生成した複数個のクロックを含む任意のクロック間において、クロック間に含まれるクロック列の周期差分の平均差分値を用いて生成すること、さらに、平均クロック周期差分値を求めるために演算されるクロック周期差分が、パルス発生周期の分解能以下となるように、平均化対象のクロックの数を設定することを特徴とし、この方法によって、より簡便な演算によるフォーマッタ駆動クロックを生成すること、また平均化を行う時間誤差が周期差設定の分解能以下になる範囲に設定されクロック発生周期差は平均化を行わない場合と同じ結果を得ることができる。
【００２３】
請求項１０に記載のフォーマッタ駆動クロック生成方法は、請求項２，５または８記載のフォーマッタ駆動クロック生成方法において、複数個のクロックを含む任意のクロック間において、クロック間の近似を行う間隔をトラック毎、またはトラックより小さい単位で行うことを特徴とし、この方法によって、情報トラック上に搭載されている各種情報の隣接トラック間の位相関係をトラック毎に正確な時間位置に一致させることができる。
【００２４】
請求項１１に記載のフォーマッタ駆動クロック生成方法は、光ディスク原盤露光装置において、ＣＡＶ駆動される光ディスク原盤上にＣＬＶフォーマットからなる等ピッチスパイラル状の情報トラックを形成するためのフォーマッタ駆動クロック生成方法であって、形成される等ピッチスパイラル状の情報トラックで構成されるＣＬＶフォーマットの任意の回転角毎に、回転角中に含まれるフォーマッタ駆動クロックの数が一定の整数個ずつ増加するように構成されたＣＬＶフォーマット形成において、任意の回転角に対応したフォーマッタ駆動クロック毎に、周期端数累積レジスタ、あるいは周期差端数累積レジスタの値を初期設定することを特徴とし、この方法によって、平均化を行う時間を誤差が周期差設定の分解能以下になる範囲に設定されクロック発生周期差は平均化を行わない場合と同じに結果を得ることができる。
【００２５】
請求項１２に記載のフォーマッタ駆動クロック生成装置は、光ディスク原盤露光装置において、ＣＡＶ駆動される光ディスク原盤上にＣＬＶフォーマットからなる等ピッチスパイラル状の情報トラックを形成するためのフォーマッタ駆動クロック生成装置であって、トラックピッチ、ＣＡＶ駆動される光ディスク原盤の回転角周波数、ＣＬＶフォーマットの情報トラックの基本線分長、およびＣＬＶ駆動開始半径位置の各値を求める検出手段と、検出手段により得た値に基づきクロック発生時刻を得る演算手段と、演算手段の出力に応じてフォーマッタ駆動クロックを生成するカウント手段とを備えたことを特徴とし、この装置によって、ＣＡＶ駆動状態で、ＣＬＶフォーマット露光を可能とするフォーマッタ駆動クロックを作成することができる。
【００２６】
請求項１３，１４に記載のフォーマッタ駆動クロック生成装置は、請求項１２記載のフォーマッタ駆動クロック生成装置において、演算手段のクロック発生時刻を用いて生成した複数個のクロックを含む任意のクロック間にて、クロック間に含まれるクロックの数で除算して求めた平均時間間隔を得る平均算出手段を備え、平均算出手段の出力に応じてカウント手段によりフォーマッタ駆動クロックを生成すること、さらに、平均算出手段において演算されるクロック位置が、パルス発生位置の分解能以下となるように、平均化対象のクロックの数を設定する設定手段を備えことを特徴とし、この装置によって、より簡便な演算によるフォーマッタ駆動クロックを生成でき、また平均化を行う時間誤差が時間設定の分解能以下の範囲に設定されてクロック発生時間は平均化を行わない場合と同じ結果を得ることができる。
【００２７】
請求項１５に記載のフォーマッタ駆動クロック生成装置は、光ディスク原盤露光装置において、ＣＡＶ駆動される光ディスク原盤上にＣＬＶフォーマットからなる等ピッチスパイラル状の情報トラックを形成するためのフォーマッタ駆動クロック生成装置であって、トラックピッチ、ＣＡＶ駆動される光ディスク原盤の回転角周波数、ＣＬＶフォーマットの情報トラックの基本線分長、およびＣＬＶ駆動開始半径位置の各値を求める検出手段と、検出手段により得た値に基づくクロック発生時刻により生成したクロック列の周期を得る演算手段と、演算手段の出力に応じてフォーマッタ駆動クロックを生成するカウント手段とを備えたことを特徴とし、この装置によって、ＣＡＶ駆動状態でＣＬＶフォーマット露光を可能とするフォーマッタ駆動クロックを作成することができる。
【００２８】
請求項１６，１７に記載のフォーマッタ駆動クロック生成装置は、請求項１５記載のフォーマッタ駆動クロック生成装置において、演算手段のクロック発生時刻を用いて生成した複数個のクロックを含む任意のクロック間において、クロック間に含まれるクロック列の平均クロック周期を得る平均算出手段を備え、平均算出手段の出力に応じてカウント手段によりフォーマッタ駆動クロックを生成すること、さらに、平均算出手段において演算される平均クロック周期が、パルス発生周期の分解能以下となるように、平均化対象のクロックの数を設定する設定手段を備えたことを特徴とし、この装置によって、より簡便な演算によるフォーマッタ駆動クロックを生成すること、また平均化を行う時間誤差が周期設定の分解能以下の範囲に設定されてクロック発生周期は平均化を行わない場合と同じ結果を得ることができる。
【００２９】
請求項１８に記載のフォーマッタ駆動クロック生成装置は、光ディスク原盤露光装置において、ＣＡＶ駆動される光ディスク原盤上にＣＬＶフォーマットからなる等ピッチスパイラル状の情報トラックを形成するためのフォーマッタ駆動クロック生成装置であって、トラックピッチ、ＣＡＶ駆動される光ディスク原盤の回転角周波数、ＣＬＶフォーマットの情報トラックの基本線分長、およびＣＬＶ駆動開始半径位置の各値を求める検出手段と、検出手段により得た値に基づくクロック発生時刻により生成したクロック列の周期差分を得る演算手段と、演算手段の出力に応じてフォーマッタ駆動クロックを生成するカウント手段とを備えたことを特徴とし、この装置によって、ＣＡＶ駆動状態で、ＣＬＶフォーマット露光を可能とするフォーマッタ駆動クロックを作成することができる。
【００３０】
請求項１９，２０に記載のフォーマッタ駆動クロック生成装置は、請求項１８記載のフォーマッタ駆動クロック生成装置において、演算手段のクロック発生時刻を用いて生成した複数個のクロックを含む任意のクロック間において、クロック間に含まれるクロック列の周期差分の平均差分値を得る平均算出手段を備え、平均算出手段の出力に応じてカウント手段によりフォーマッタ駆動クロックを生成すること、さらに、平均算出手段において演算されるクロック周期差分が、パルス発生周期の分解能以下となるように、平均化対象のクロックの数を設定する設定手段を備えたことを特徴とし、この装置によって、より簡便な演算によるフォーマッタ駆動クロックを生成すること、また平均化を行う時間誤差が周期差設定の分解能以下になる範囲に設定されクロック発生周期差は平均化を行わない場合と同じ結果を得ることができる。
【００３１】
請求項２１に記載のフォーマッタ駆動クロック生成装置は、請求項１３，１６または１９記載のフォーマッタ駆動クロック生成装置において、平均算出手段が複数個のクロックを含む任意のクロック間において、クロック間の近似を行う間隔をトラック毎、またはトラックより小さい単位で行うことを特徴とし、この装置によって、隣接トラック間の位相関係をトラック毎に正確な時間位置に一致させることができる。
【００３２】
請求項２２に記載のフォーマッタ駆動クロック生成装置は、光ディスク原盤露光装置において、ＣＡＶ駆動される光ディスク原盤上にＣＬＶフォーマットからなる等ピッチスパイラル状の情報トラックを形成するためのフォーマッタ駆動クロック生成装置であって、形成される等ピッチスパイラル情報トラックで構成されるＣＬＶフォーマットの任意の回転角毎に、回転角中に含まれるフォーマッタ駆動クロックの数が一定の整数個ずつ増加するように構成されたＣＬＶフォーマット形成において、任意の回転角に対応したフォーマッタ駆動クロック毎に、周期端数累積レジスタ、あるいは周期差端数累積レジスタの値を初期設定する手段を備えたことを特徴とし、この装置によって、平均化を行う時間を誤差が周期差設定の分解能以下になる範囲に設定されクロック発生周期差は平均化を行わない場合と同じに結果を得ることができる。
【００３３】
請求項２３に記載の駆動クロック生成装置は、請求項１２〜２２のいずれか１項記載のフォーマッタ駆動クロック生成装置と、光ディスク原盤を載置し回転駆動手段により回転するターンテーブルと、光ディスク原盤に情報トラックを形成するため情報記録信号に基づいて記録用光ビームの収束照射手段と、ターンテーブルまたは収束照射手段のいずれか一方を光ディスク原盤平面と平行方向に移動させる横送り駆動手段と、回転駆動手段，横送り駆動手段を制御する駆動制御手段とを有し、駆動制御手段により光ディスク原盤上に各種フォーマットからなる情報トラックを形成する光ディスク原盤露光装置の駆動クロック生成装置であって、ターンテーブル回転駆動クロックと横送り駆動クロックとフォーマッタ駆動クロックに用いる同一の基準クロック発生手段と、ＣＬＶ駆動状態のＣＬＶフォーマット形成およびＣＡＶ駆動状態のＣＬＶフォーマット形成に用いるフォーマッタ駆動クロックのクロック切換手段を備えたことを特徴とし、この装置によって、ＣＬＶ駆動によるＣＬＶフォーマット形成、またはＣＡＶ駆動によるＣＬＶフォーマット形成にも対応可能であり、情報トラックの形成中にて、形成領域によってＣＡＶまたはＣＬＶの駆動方法を切り換えることができる。
【００３４】
請求項２４に記載の光ディスク原盤露光方法は、請求項２３記載の駆動クロック生成装置と、光ディスク原盤を載置し回転駆動手段により回転するターンテーブルと、光ディスク原盤に情報トラックを形成するため情報記録信号に基づいて記録用光ビームの収束照射手段と、ターンテーブルまたは収束照射手段のいずれか一方を光ディスク原盤平面と平行方向に移動させる横送り駆動手段と、回転駆動手段，横送り駆動手段を制御する駆動制御手段とを有する光ディスク原盤露光装置によって、駆動制御手段の回転駆動手段，横送り駆動手段の制御により、光ディスク原盤上に各種フォーマットからなる情報トラックを形成する光ディスク原盤露光方法であって、ＣＬＶ駆動状態のＣＬＶフォーマット露光およびＣＡＶ駆動状態のＣＬＶフォーマット露光を切り換えてＣＬＶフォーマットの露光を行うことを特徴とし、この方法によって、ＣＬＶ駆動によるＣＬＶフォーマット露光、またはＣＡＶ駆動によるＣＬＶフォーマット露光にも対応可能であり、ＣＬＶフォーマットからなる情報トラックの露光中に、露光領域によってＣＡＶまたはＣＬＶの駆動方法を切り換えた露光をすることができる。
【００３５】
請求項２５に記載の光ディスク原盤露光装置は、請求項２３記載の駆動クロック生成装置と、光ディスク原盤を載置し回転駆動手段により回転するターンテーブルと、光ディスク原盤に情報トラックを形成するため情報記録信号に基づいて記録用光ビームの収束照射手段と、ターンテーブルまたは収束照射手段のいずれか一方を光ディスク原盤平面と平行方向に移動させる横送り駆動手段と、回転駆動手段，横送り駆動手段を制御する駆動制御手段とを有し、駆動制御手段により光ディスク原盤上に各種フォーマットからなる情報トラックを形成する光ディスク原盤露光装置であって、ＣＬＶ駆動状態のＣＬＶフォーマット露光およびＣＡＶ駆動状態のＣＬＶフォーマット露光の露光切換手段を備え、ＣＬＶフォーマットの露光を行うことを特徴とし、この装置によって、ＣＬＶ駆動、またはＣＡＶ駆動によるＣＬＶフォーマット露光を可能とし、情報トラックの露光中に、露光領域によってＣＡＶまたはＣＬＶの駆動方法を切り換えた露光ができる。
【００３６】
請求項２６に記載の光ディスクドライブ装置は、請求項２３記載の駆動クロック生成装置と、光ディスク媒体を載置し回転駆動手段により回転するターンテーブルと、光ディスク媒体に情報ビット列を形成するため情報記録信号に基づいて記録用光ビームの収束照射手段と、ターンテーブルまたは収束照射手段のいずれか一方を光ディスク媒体平面と平行方向に移動させる横送り駆動手段と、回転駆動手段，横送り駆動手段を制御する駆動制御手段とを有し、駆動制御手段により光ディスク媒体上に各種フォーマットからなる情報ピット列の情報トラックを形成する光ディスクドライブ装置であって、ＣＬＶ駆動状態のＣＬＶフォーマット書込みおよびＣＡＶ駆動状態のＣＬＶフォーマット書込みの切換手段を備え、ＣＬＶフォーマット書込みを行うことを特徴とし、ＣＬＶ駆動によるＣＬＶフォーマット露光、あるいはＣＡＶ駆動によるＣＬＶフォーマット露光のどちらの露光方法にも対応して、ＣＬＶフォーマットで形成された情報ピット形成中に、書込み領域によって駆動方法を切り換えた書込みを行うことができる。
【００３７】
請求項２７に記載の光ディスク原盤は、請求項２５記載の光ディスク原盤露光装置を用いて、ＣＡＶ駆動状態においてＣＬＶフォーマットからなる等ピッチスパイラル状の情報トラックを形成したことを特徴とし、この光ディスク原盤によって、情報トラック上に形成される各種情報の隣接トラック間の位相関係が、ＣＬＶフォーマットにおける隣接トラック間の位相関係と同等に形成された情報記録媒体を作成することができる。
【００３８】
請求項２８に記載の情報記録媒体は、請求項２７記載の光ディスク原盤により作成され、ＣＡＶ駆動される光ディスク原盤上にＣＬＶフォーマットからなる等ピッチスパイラル状の情報トラックを有することを特徴とし、この情報記録媒体によって、情報トラック上に形成される各種情報による隣接トラック間のクロストークを小さくできる。
【発明の効果】
【００３９】
以上説明したように、本発明によれば、クロック発生時刻、クロック周期、周期差、およびこれらの平均値を用いた演算により、フォーマッタ駆動クロックを正確に生成して、これを用いる光ディスク原盤露光装置によって、切り換え可能なＣＬＶ駆動とＣＡＶ駆動によるＣＬＶフォーマットの露光形成と、隣接トラック間に正確な位相関係を有する情報トラックを形成して、情報トラック上の各種情報によるクロストークを抑えた光ディスク原盤と情報記録媒体を得ることができるという効果を奏する。
【発明を実施するための最良の形態】
【００４０】
以下、図面を参照して本発明における実施の形態を詳細に説明する。
【００４１】
図１は本発明の実施の形態における光ディスク原盤露光装置の基本構成を示すブロック図である。図１において、１はフォトレジストを塗布したガラス原盤５を露光するための露光レーザ、２は、露光レーザ１から出射された光ビームを整形し、フォーカスアクチュエータ４へ光ビームを導く露光光学系、３はガラス原盤５上に照射される光ビームの強度を変える光量変調器、６はガラス原盤５上にプリエンボスピットやグルーブを形成する信号を発生させるフォーマット信号発生器１６からの信号Ｆoutに基づいて露光レーザ１の光ビームをオン／オフする光変調器、７はターンテーブルＴの駆動モータ８に取り付けられて回転に応じパルス列を出力するエンコーダ、９は露光スポットの半径位置を検出するためのリニアエンコーダである。
【００４２】
ガラス原盤５はターンテーブルＴに吸着され駆動モータ８にて回転させられて、これと同時に、フォーカスアクチュエータ４はエアスライダモータ１０によってガラス原盤５の半径方向に移動させられ、さらに、フォーカスアクチュエータ４は、入射した光ビームを極小スポットに集光させ、絶えず、そのビームウエスト位置をフォトレジスト位置に保つようにフォーカス制御する（フォーカス制御のための光学系等は図示せず）。
【００４３】
また、１１はエアスライダモータ１０を駆動するためのスライダモータドライバ、１２は駆動モータ８を駆動するための駆動モータドライバ、１３，１４は、コントローラ１５によって指示される移動および回転指令に対して、滑らかにそして精度良くスライダおよびターンテーブルを追従させるための制御回路、１７は、スライダ，駆動モータドライバ１１，１２を駆動する横送り，回転駆動制御回路１３，１４に駆動クロックを発生する横送り，回転駆動クロック生成回路１８，１９とフォーマット信号発生器１６を駆動するための駆動クロックを発生するフォーマッタ駆動クロック生成回路２０とに基本クロックを供給する基本クロック発生器である。ここで、リニアスケールの値をプリセットするための絶対位置を検出するためのセンサは省略してある。さらに、光ディスク原盤露光装置は各種ディスクフォーマットに対応して、２ビーム露光、露光ビームの蛇行等々設定が必要になるが、それらに要する各種露光光学系等は、本発明に直接関係しないので省略し、図１の破線で囲んだ部分が駆動クロック生成部にあたる。
【００４４】
次に、本発明の実施の形態１における実施例１について、図１を参照しながら以下に説明する。図１に示すように、光ディスクのガラス原盤５を搭載するターンテーブルＴと、これを回転させる駆動モータ８，エンコーダ７等からなる回転駆動手段と、情報トラックとして情報記録信号に基づき、記録用の光ビームを収束照射させる露光光学系２，フォーカスアクチュエータ４等の収束露光手段と、ガラス原盤５を搭載したターンテーブルＴをガラス原盤５と平行な平面内で横移動させる横送り駆動する横送り駆動手段（図示せず）、または、前述の記録用の光ビームの収束照射手段をガラス原盤５と平行な平面内で横移動させるエアスライダモータ１０，スライダモータドライバ１１等の横送り駆動する横送り駆動手段を備え、これら回転駆動手段と横送り駆動手段の制御によって、ＣＡＶ（角速度一定）駆動して露光する光ディスク原盤露光装置において、光ディスクのガラス原盤５上にＣＬＶ駆動によって等ピッチスパイラル状の情報トラックを形成する。
【００４５】
いま、ＣＬＶ駆動によって形成される等ピッチスパイラル状の情報トラックにおいて、ＣＬＶ駆動開始からの時間ｔにおけるその全情報トラック長Ｌは（数１），（数２）から、（数３）のように求まる。
【００４６】
【数１】
2004319059.tif 000003
【００４７】
【数２】
2004319059.tif 000004
ここで、ターンテーブルＴの回転角速度をω0、ＣＬＶ駆動開始半径をＲ0、トラックピッチをＰとする。
【００４８】
（数２）を（数１）に代入して、
【００４９】
【数３】
2004319059.tif 000005
これにより、ＣＬＶ駆動開始から時間ｔを求めると、（数４）のようになる。
【００５０】
【数４】
2004319059.tif 000006
（数４）は、ＣＡＶ駆動による等ピッチスパイラル状の情報トラックを形成する際の、形成開始からの形成情報トラック長がＬのときの形成開始からの経過時間を表している。
【００５１】
ＣＬＶフォーマットにおいては、フォーマットの基本をなす１cb（チャンネルビット）相当長は情報トラック上どこでも一定である。よって、１cb相当長をＬcbとすると、（数５）となり、
【００５２】
【数５】
2004319059.tif 000007
（数５）を（数４）へ代入し、（数６）となる。
【００５３】
【数６】
2004319059.tif 000008
ｔn はＬcb相当長進む毎の経過時間を示すことになる。
【００５４】
したがって、ｔn ごとに発生するクロック列をフォーマッタ駆動クロックとして動作させることにより、ＣＡＶ駆動されているガラス原盤５上にＣＬＶフォーマットの情報トラックを形成することができる。図２には横軸をＬcb×ｎ、縦軸をｔn としたとき経過時間ｔn の変化の様子を模式的に示す。
【００５５】
また、本実施の形態１の実施例２として、ｍ個のＬcb相当長の情報トラック間における生成クロックの位置を、その情報トラックの先端時間ｔａ と後端時間ｔａ＋ｍ 間の時間間隔をｍで割った値である平均時間間隔ｔＡＶＥ を用いて、（数７）とし、
【００５６】
【数７】
2004319059.tif 000009
ｔａ とｔａ＋ｍ 間の各チャンネルビット位置に対応した近似クロックを生成し、これをフォーマッタ駆動クロックとする。時間ｔａ〜ｔａ＋ｍ 間のクロック生成の時間ｔｉ をｉの１次式から求めることができ演算が容易となる。図３には横軸にＬcb×ｎ、縦軸にｔｎ としたときの近似ｔｎ を模式的に示す。
【００５７】
図４は、本実施の形態１におけるフォーマッタ駆動クロック生成回路の概略構成を示すブロック図であり、基本クロックをカウントするカウンタ回路２１と、本実施の形態１の実施例１あるいは実施例２で説明した方法によって得られるクロック発生位置に相当する位置カウント指定値を保持するレジスタ回路２２と、カウンタ回路２１のカウント値とレジスタ回路２２にセットされた値の一致を検出するカウント値一致検出回路２３、および図示しないクロック発生位置データを順次生成する演算回路あるいは演算装置で構成される。
【００５８】
また、図５は、図４と同様に基本クロックを基本クロック周期以下のある時間間隔で連続して遅延させる複数タップを有する遅延回路２４が追加されている。そして、図６に示すように、基本クロックのカウント値と各遅延パルスの状態を指定することにより基本クロック以下の分解能でのフォーマッタ駆動クロック（Ｆclk）発生位置の指定が可能になっている。
【００５９】
なお、図４，図５に示すカウンタ回路２１のカウント長は、フォーマッタ駆動クロックを生成する全時間をカウント可能に構成する必要はなく、発生クロック周期の最大長相当以上のカウント長で構成されていれば連続したクロック発生位置の指定ができる。
【００６０】
位置カウント指定値（クロック発生位置に相当するデータ）は、演算回路あるいは演算装置によって絶えず求められ、ＣＡＶ駆動状態におけるＣＬＶフォーマットを形成するための理想的なクロック生成位置（（数７）により求められる）に最も近いクロック位置を値として与えられる。位置カウント指定値は、演算回路あるいは演算装置によって逐次求められても良いが、演算時間が問題になる場合は、予め全データを求めておきＲＯＭあるいはＲＡＭに格納しておく等の方法がとられる。または、ハードディスク等の外部記憶装置に全データを格納しておき、フォーマッタ駆動クロック生成回路上のＲＡＭへ順次データを転送する等の方法がとられても良い。
【００６１】
また、フォーマッタ駆動クロック生成において、平均化する対象クロック域を制限することにより、真のクロック発生時間に対する誤差を、時間設定の分解能以下に収める。
【００６２】
理想的なフォーマッタ駆動クロックにおいて、横軸を時間とした場合（ＣＬＶでは線速一定なので、情報トラック長に相当する）、その時刻、周期、周期差は非線形に変化する。したがって、平均を求めようとする時間領域の取り方によって、平均値から得られフォーマッタ駆動クロック位置と理想的な位置の誤差が変わる。そこで、その誤差が、設定時間の分解能（基本クロック周期）よりも小さくなるように平均化を行う対象域を決める。
【００６３】
この平均化を行う時間誤差が時間設定の分解能以下になる範囲に設定されるので、得られるクロック発生時間は平均化を行わない場合と同じ結果を得ることができる。
【００６４】
次に、本発明の実施の形態２の実施例１として、実施の形態１の（数７）より、ｔｎ クロックとｔｎ−１ クロック間の時間間隔つまりクロック周期Ｔn を求めると（数８）になる。
【００６５】
【数８】
2004319059.tif 000010
（数８）を用いて、ＣＡＶ駆動状態でのＣＬＶフォーマットを形成するためのフォーマッタ駆動クロックの生成を行うことができる。
【００６６】
この（数８）は周期を与えているので、フォーマッタ駆動クロック生成回路としては、カウンタ回路等を用いた一般的な分周回路により構成することができる。また、図７には横軸をＬcb×ｎ、縦軸をＴｎ としたときの、クロック周期Ｔｎ の変化の様子を模式的に示す。
【００６７】
さらに、本実施の形態２の実施例２として、ｍ個のＬcb相当長の情報トラック間のクロック生成の位置を、その情報トラックの先端位置のクロック周期Ｔａ と後端位置のクロック周期Ｔａ＋ｍ 間に含まれるクロックの平均クロック周期ＴＡＶＥ を用いて、（数９）とし、
【００６８】
【数９】
2004319059.tif 000011
クロック周期Ｔａ とクロック周期Ｔａ＋ｍ 間の各チャンネルビット位置に対応した近似クロックを生成し、これをフォーマッタ駆動クロックとする。これにより、周期情報に基づいたクロック生成を行うことができ、カウンタ回路を用いた簡単な分周回路によってフォーマッタ駆動クロック生成回路を構成することができる。図８には横軸をＬcb×ｎ、縦軸をＴｎ としたときの、近似クロック周期Ｔｎ を模式的に示す。
【００６９】
図９は、本実施の形態２におけるフォーマッタ駆動クロック生成回路の概略構成を示すブロック図である。図９において、図示しない演算回路あるいは演算装置より、生成したいフォーマッタ駆動クロック（Ｆclk）の周期データ（実数値）が周期データ処理回路２５に与えられる。周期データ処理回路は、周期データを整数部と小数部に分け、それぞれ周期生成回路２６および周期端数累積レジスタ２７にセットする。周期生成回路２６は、周期生成データ（整数部）に従って基本クロック相当の指定数個後にパルスを出力する。周期生成データ（小数部）は、周期端数累積レジスタ２７に一旦保存され、次のフォーマッタ駆動クロック（Ｆclk）生成のための周期データ（実数値）と加算され、再び周期生成のためのデータ処理が施される。
【００７０】
ここで、周期データは、１パルス毎に生成する場合は１パルス毎に、平均値で生成する場合は平均区間毎に周期データが更新される。また、周期生成回路２６は基本クロックの分周回路あるいは、シフトレジスタを用いたパラレル／シリアル変換回路等を用いて構成される。
【００７１】
周期データは、円周率および平方根を求める演算を含み、いくら有効桁を増やしたとしてもその結果には、誤差を含まざるを得ない（有限桁の演算装置を用いて演算する限り真に正しい値を得ることはできず、誤差を含む）。したがって、このような状況では、本来、端数の累積値が０にならなければならないはずのところが０にならないことも起こり得る。本来０になるべき周期端数累積レジスタを強制的に０にセットし誤差がこれ以降の演算に伝播しないようにする。
【００７２】
また、１回の光ディスク原盤露光装置の露光時間におけるフォーマッタ駆動クロックの数は膨大であり、誤差の累積が、周期設定の分解能（図９では、基本クロック周期）を超えることのないように十分な有効桁を確保して周期データが計算され、周期データ処理回路２５および周期端数累積レジスタ２７も十分な有効桁を確保した処理が実現できるよう構成される。
【００７３】
例えば、等ピッチスパイラルで形成される情報トラックからなるＣＬＶフォーマットにおいては、スパイラル中心から情報トラックに沿ってある任意の回転角（θラジアン）毎の情報トラック長は、θ２×（トラックピッチ）／（２π）長ずつ伸びる（内周から外周へ情報トラックをたどった場合）。２π（トラック１周）の場合２π（トラックピッチ）長になる。例えば、θ＝２πとし、トラック毎の情報トラック長の増分「２π（トラックピッチ）長」の整数分の１がフォーマッタ駆動クロック１周期長分（線速一定なので、時間と情報トラック上の線分長は同じ）に等しく設定される場合、トラック毎に誤差なく正確にフォーマッタ駆動クロック位置が決定される。
【００７４】
ＣＬＶ駆動によって形成される等ピッチスパイラルのトラックにおいて、その全トラック長Ｌは（数１０）、全トラック長Ｌを測定のスパイラル半径位置ｒは（数１１）で表される。
【００７５】
【数１０】
2004319059.tif 000012
【００７６】
【数１１】
2004319059.tif 000013
Ｒ0はスパイラルの開始半径位置、ｒはトラック長を測定しようとしているスパイラル半径位置、Ｐはスパイラルトラックピッチ、ｎはトラック数を表す。
（数１０），（数１１）から（数１２）が導かれ、
【００７７】
【数１２】
2004319059.tif 000014
また、（数１２）から各トラックのトラック長Ｌｎは、（数１３）のように表される。
【００７８】
【数１３】
2004319059.tif 000015
（数１３）から、隣接トラック間のトラック長差は、以下の（数１４）に示すように一定であることがわかる。
【００７９】
【数１４】
2004319059.tif 000016
また、（数１１）は、求めようとするスパイラル軌跡を、トラックを単位として、すなわち、スパイラルの中心から線路に沿って軌跡の回転角が２πを１単位として表現している。その結果、トラック毎に、２πＰずつトラックのトラック長が増加していくという結果を得た。
【００８０】
２πの代わりに、ある任意な角θｃを１単位とすると、（数１１）は以下の（数１５）のようになる（ここで、角θｃは２πより小さくても大きくても良い。また、角θｃによって切り出されるスパイラル状線路の線分をセグメントと呼ぶこととする）。
【００８１】
【数１５】
2004319059.tif 000017
ｓはセグメント数を表す。（数１０）と（数１５）から、全トラック長Ｌは（数１６）、各セグメントのトラック長Ｌｓは（数１７）となり、
【００８２】
【数１６】
2004319059.tif 000018
【００８３】
【数１７】
2004319059.tif 000019
（数１７）から、隣接セグメントのトラック長差は、以下の（数１８）に示すように一定であることがわかる。
【００８４】
【数１８】
2004319059.tif 000020
前述したように周期データには、すでに誤差が含まれている（元々、πを含んだ演算であること、平方根を求める等の演算は有限の有効桁の演算装置によって求められることから）ので、本来、真に０にならなければならないはずが完全に０の値とならない（周期端数累積レジスタ）ことになる。図９に記載の周期端数累積レジスタにリセット入力信号を付加し、同一の初期設定（プリセット）値をトラック毎に強制的にセットする。これにより演算によって生成する誤差を解消し誤差の伝播を防ぐ。
【００８５】
これによって、平均化を行う時間を誤差が周期差設定の分解能以下になる範囲に設定されるので、得られるクロック発生周期差は平均化を行わない場合と同じ結果を得ることができる。
【００８６】
次に、本発明の実施の形態３の実施例１として、実施の形態２の（数８）より、クロック周期Ｔｎ とクロック周期Ｔｎ−１ 間のクロック周期差ΔＴｎ を求めると（数１９）のようになる。
【００８７】
【数１９】
2004319059.tif 000021
この（数１９）を用いて、クロック周期Ｔｎ を表すと（数２０）のようになる。
【００８８】
【数２０】
2004319059.tif 000022
ここで、Ｔ０ は、ＣＬＶフォーマットの情報トラックを形成開始時における最初のクロック周期である。図１０には横軸をＬcb×ｎ、縦軸をＴｎ としたときの、クロック周期差ΔＴｎ の変化の様子を模式的に示す。
【００８９】
さらに、本実施の形態３の実施例２として、ｍ個のチャンネルビット相当長の情報トラック間のクロック生成の位置を、その情報トラックの最初のクロック周期の差分をΔＴａ、ｍ個目のクロック周期の差分をΔＴａ＋ｍ とし、この間のクロック周期の差分の平均差分値ΔＴＡＶＥ を用いて、（数２１）とし、
【００９０】
【数２１】
2004319059.tif 000023
クロック周期Ｔa とクロック周期Ｔａ＋ｍ 間の各チャンネルビット位置に対応した近似クロックを生成し、これをフォーマッタ駆動クロックとする。
【００９１】
クロック周期Ｔａ 〜Ｔａ＋ｍ 間の生成クロック周期Ｔｎ＋ｋ をｋの１次式から求めることができ演算が容易となる。また、実施の形態２の実施例２における近似方法に比べ精度を向上させることができる。図１１に横軸Ｌcb×ｎ、縦軸Ｔｎとしたときの、近似クロック周期Ｔｎ を模式的に示す。
【００９２】
図１２は、本実施の形態３におけるフォーマッタ駆動クロック生成回路の概略構成を示すブロック図である。図１２において、図示しない演算回路あるいは演算装置より、生成したいフォーマッタ駆動クロック（Ｆclk）の周期基本データ（整数部）と周期基本データ（小数部）および、周期差データ（実数値）が周期差データ処理回路２８に与えられる。周期差データ処理回路２８は、周期基本データ（小数部）と周期差データ（実数値）を加算し、整数部と小数部に分け、それぞれ周期データ生成回路２９および周期差端数累積レジスタ３０にセットする。
【００９３】
さらに、周期データ生成回路２９では、周期基本データ（整数部）と周期差生成データ（整数部）から周期生成データ（整数部）を生成出力し、周期生成回路２６は、周期生成データ（整数部）に従って基本クロック相当の指定数個後にパルスを出力する。また、周期差生成データ（小数部）は、周期差端数累積レジスタ３０に一旦保存され、次のフォーマッタ駆動クロック（Ｆclk）生成のための周期差データ（実数値）、および周期基本データ（小数部）と加算され、再び周期生成のためのデータ処理が施される。
【００９４】
ここで、周期基本データ（整数部、小数部）は固定、周期差データ（実数値）は、１パルス毎に生成する場合は１パルス毎に、平均値で生成する場合は平均区間毎に周期差データが更新される。また、周期生成回路２６は基本クロックの分周回路あるいは、シフトレジスタを用いたパラレル／シリアル変換回路等を用いて構成される。
【００９５】
周期差データは、円周率および平方根を求める演算を含み、その結果には、誤差を含まざるを得ない（有限桁の演算装置を用いて演算する限り真に正しい値を得ることはできず、誤差を含む）。したがって、このような状況では、本来、端数の累積値が０にならなければならないはずのところが０にならないことも起こり得る。ここでは、本来０になるべき周期差端数累積レジスタを強制的に０にセットし誤差がこれ以降の演算に伝播しないようにする。
【００９６】
また、１回の光ディスク原盤露光装置の露光時間におけるフォーマッタ駆動クロックの数は膨大であり、誤差の累積が、周期設定の分解能（図１２では、基本クロック周期）を超えることのないように十分な有効桁を確保して周期差データが計算され、周期差データ処理回路２８、周期データ生成回路２９および周期差端数累積レジスタ３０も十分な有効桁を確保した処理が実現できるよう構成される。
【００９７】
実施の形態２の図９で説明したのと同様に、周期差データには、すでに誤差が含められている（元々、πを含んだ演算であること、平方根を求める等の演算は有限の有効桁の演算装置によって求められることから）ので、本来、真に０にならなければならないはずのところが完全に０の値を持たない（周期差端数累積レジスタ）ことになる。図１２に記載の周期差端数累積レジスタにリセット入力信号を付加し、同一の初期設定（プリセット）値をトラック毎に強制的にセットする。これにより演算によって生成する誤差を解消し誤差の伝播を防ぐ。
【００９８】
これによって、平均化を行う時間を誤差が周期差設定の分解能以下になる範囲に設定されるので、得られるクロック発生周期差は平均化を行わない場合と同じ結果を得ることができる。
【００９９】
次に、本発明の実施の形態４として、前記実施の形態１〜３におけるフォーマッタ駆動クロックの生成する区間を光ディスクのトラック毎とした場合の動作について図１３を参照しながら説明する。
【０１００】
ここで、実施の形態２において説明した近似クロック周期からフォーマッタ駆動クロックを生成する場合を例に示す。ここでトラックとは、等ピッチスパイラル状に形成された情報トラックの回転角２π相当をいう。光ディスクの内周から外周へ向けてトラック長は「２×π×トラックピッチ長」ずつ長くなっていく。
【０１０１】
トラックの開始あるいは終了位置では、正確に理想的なＣＬＶフォーマットと一致する情報トラックが形成される。近似区間内では設定周期の誤差分だけ理想的なＣＬＶフォーマットにおける情報の配置と誤差を持って形成されるが、隣接トラック間の位相関係は明らかな誤差範囲の中で全トラックにおいて保証される。
【０１０２】
また、近似範囲は、トラック毎に限られるものではなくトラックよりも小さな範囲としても良い。一般に情報トラックは、セクターの連なり、複数のセクターで構成されるブロックの連なりで構成されている。これらは、トラック長より短く、これらセクター毎、あるいはブロック毎の近似データの更新が行われても、隣接トラック間の位相関係を維持したまま形成できる。またこの場合は、光ディスクにおける記録あるいは再生がセクターあるいはブロックを単位として行われることを考えると、記録再生中のセクターあるいはブロック中の記録再生クロックが一定となっていることから記録再生特性の安定性にとって望ましい結果も与える。
【０１０３】
また、図１４は本実施の形態５における駆動クロック生成装置の概略構成を示すブロック図である。図１４に示すように、同一の基本クロック発生器１７を用いフォーマッタ駆動クロック（Ｆclk）、ターンテーブル回転駆動クロック（Ｔclk）、横送り駆動クロック（Ｓclk）をそれぞれ生成する、フォーマッタ駆動クロック生成回路２０、回転駆動クロック生成回路１９、横送り駆動クロック生成回路１８から構成される。また、フォーマッタ駆動クロック生成回路２０は、ＣＬＶ駆動によるＣＬＶフォーマット形成時のフォーマッタ駆動クロック（Ｆａ；一定）と前記実施の形態１〜３に記載の方法によって生成されるＣＡＶ駆動状態におけるＣＬＶフォーマッタ駆動クロック（Ｆｎ；ｎはトラック番号）が生成可能に構成され、ＣＡＶ駆動とＣＬＶ駆動をクロック切換手段（図示せず）によって切り換え可能としている。
【０１０４】
図１５（ａ），（ｂ）はＣＡＶ駆動状態およびＣＬＶ駆動状態におけるＣＬＶフォーマット形成時の各駆動クロックの様子をトラック毎に近似した動作例を示す図である。図１５（ａ），（ｂ）において、ｎはトラック毎に値を変える変数、ａは定数、ＮＦn，ＮＴa，ＮＳaは１トラック形成時の各駆動クロックの生成個数を表す。
【０１０５】
図１５（ａ）は、ＣＡＶ駆動状態におけるＣＬＶフォーマット形成時の各駆動クロックの生成の様子を示している。ＣＡＶ駆動されターンテーブルの回転と横送りは一定速度（一定周波数：Ｔa、Ｓaに相当）で駆動される。トラックあたりのクロック数（ＮＴa、ＮＳa）は変わらない。フォーマッタ駆動クロックの周波数Ｆｎはトラック毎に変化し、トラックあたりのフォーマッタ駆動クロック数を、正確に「２×π×トラックピッチ長」に比例して増加させている（情報トラックを光ディスクの内周から外周へ形成時）。
【０１０６】
また、図１５（ｂ）はＣＬＶ駆動によるＣＬＶフォーマット形成時の各駆動クロック生成の従来の様子を示す図である。ターンテーブル回転と横送りは線速一定となるようＣＬＶ駆動されるため、トラック毎のトラック周期とそれぞれの周波数（Ｔn、Ｓn）は変化する。ただし、トラックあたりのクロック数（ＮＴa、ＮＳa）は変わらない。フォーマッタ駆動クロックの周波数Ｆａは一定で、トラックあたりのフォーマッタ駆動クロック数は、トラック毎に、正確に「２×π×トラックピッチ長」に比例して増加している（情報トラックを光ディスクの内周から外周へ形成時）。このような、ＣＬＶ駆動によるＣＬＶフォーマット形成に関する駆動クロックの生成方法は、特許文献６に開示されている。
【０１０７】
ここで、前述の図４あるいは図５に示したようなフォーマッタ駆動クロック生成回路に対して、駆動状態（ＣＬＶ駆動あるいはＣＡＶ駆動）を変えた位置カウント指定値（分周を用いたクロック生成回路では、分周値）を生成しレジスタ２２に入力することにより、例えば、図１６に示すようなＲＡＭ等の記憶手段にクロックデータを格納した駆動クロック生成データ回路を用意することにより、ＣＬＶフォーマット形成動作中に駆動状態をＣＡＶ駆動状態からＣＬＶ駆動状態、あるいはＣＬＶ駆動状態からＣＡＶ駆動状態へと変化させたＣＬＶフォーマット形成動作が可能となる。
【０１０８】
次に、本発明の実施の形態６における実施例１として、光ディスク原盤露光装置において情報トラックの露光処理について説明する。図１に示す光ディスク原盤露光装置において、ＣＡＶ駆動によるＣＬＶフォーマット露光、ＣＬＶ駆動によるＣＬＶフォーマット露光、あるいは混在した露光が行われる。図１７には、ＣＡＶ駆動によるＣＬＶフォーマット露光とＣＬＶ駆動によるＣＬＶフォーマット露光を混在させて処理を行う場合の露光例を示す。この例では、ＣＬＶ駆動による急激なターンテーブル回転数の変化に伴う機械振動の発生を避けるために光ディスク内周部分をＣＡＶ駆動、また、露光時間の短縮を図るために外周部分をＣＡＶ駆動としている。
【０１０９】
高速なＣＡＶ駆動によって露光を行うことが露光時間は最短となるが、外周部における露光線速増加に伴う露光光強度の不足という不具合が発生するので、露光切換手段によって搭載されたレーザの出力、あるいは装置自体の機械的剛性等を考慮し適宜、駆動条件を設定する。
【０１１０】
そして、図１に示す破線で囲んだ部分の駆動クロック生成部によって、横送り制御回路１３、回転駆動制御回路１４、フォーマット信号発生器１６に対し、ＣＡＶ駆動によるＣＬＶフォーマット形成のための横送り駆動クロック、ターンテーブル回転駆動クロック、およびフォーマッタ駆動クロックの生成、あるいはＣＬＶ駆動によるＣＬＶフォーマット形成のための横送り駆動クロック、ターンテーブル回転駆動クロック、およびフォーマッタ駆動クロックの生成が連続して行われる。同時に、フォーマット信号発生器１６の出力による露光光ビームの蛇行あるいはオン／オフにより情報トラックの形成、光量変調器３による一定形状溝を得るための露光量変調が行われ（ＣＬＶ駆動時は、ある一定値で良いが、ＣＡＶ駆動時は露光半径位置によって変調する必要がある）、ＣＬＶフォーマットを形成したガラス原盤５の最適な露光が行われる。
【０１１１】
本実施の形態６の実施例２として、特に、図示しないが、実施の形態５において説明した駆動クロック生成装置を搭載し、ＣＬＶ駆動によるＣＬＶフォーマット露光、あるいはＣＡＶ駆動によるＣＬＶフォーマット露光のどちらの露光方法にも対応可能な光ディスクドライブ装置であって、ＣＬＶフォーマットでなる情報ピット形成中に、書込み領域によって駆動方法を切え換えた書込みを行う。
【０１１２】
本実施例２の光ディスクドライブ装置は、駆動クロック生成装置と、光ディスク媒体を載置し回転駆動手段により回転するターンテーブル、光ディスク媒体に情報ピット列を形成する情報記録信号に基づく記録用光ビームの集束照射手段、この集束照射手段を光ディスク媒体平面と平行移動させる横送り手段、回転駆動手段，横送り駆動手段を制御する駆動制御手段から構成されている。
【０１１３】
駆動制御手段により光ディスク媒体上に情報ピット列の情報トラックの書込みを行う。情報の書込みにあたっては、ＣＬＶ駆動状態でＣＬＶフォーマットの書込みを行っても良いし、あるいはＣＡＶ駆動状態でＣＬＶフォーマット書込みに切り換えてＣＬＶフォーマット書込みを行わせることもできる。
【０１１４】
また、光ディスクドライブ装置では、ＣＡＶ駆動によるＣＬＶフォーマット書込みが可能なので、情報トラック上に形成されるウォブル情報あるいはピット情報等の隣接トラック間の位相関係を理想的なＣＬＶフォーマットと同等に形成された光ディスク媒体を提供できる。
【０１１５】
さらに、ＣＡＶ駆動によるＣＬＶフォーマット書込みとＣＬＶ駆動によるＣＬＶフォーマット書込みを切り換えて書込み可能であるので、情報トラックの形成領域に応じてＣＬＶフォーマット形成方法を切り換えた光ディスク媒体への書込み動作が可能となり、内周から外周へ向かって、等トラックピッチのスパイラル状情報トラックで形成されたＣＬＶフォーマットの書込みにおいて、書込み時間の短縮（内周；ＣＬＶ駆動、外周；ＣＡＶ駆動）や、ターンテーブルの急激な回転数変化に伴う機械振動の低減、あるいはＣＡＶ駆動で書込みする際の外周部露光での書込みレーザ照射のパワー不足を解消（内周；ＣＡＶ駆動、外周；ＣＬＶ駆動）することが可能となる。
【０１１６】
本発明の実施の形態７として、実施の形態１〜６で説明した光ディスク原盤露光装置によって、ＣＡＶ駆動状態でガラス原盤上にＣＬＶフォーマットを形成することができ、隣接トラック上の各種情報の位相関係が、明白な関係で形成／維持された光ディスク原盤を得ることができ、さらに、これにより作成された記録媒体は情報トラック上に形成される各種情報の隣接トラック間の位相関係と、ＣＬＶフォーマットにおける隣接トラック間の位相関係とが同等に形成され、再生時において隣接トラック間によるクロストークを極めて小さくした情報記録媒体である光ディスク媒体を得ることができる。
【産業上の利用可能性】
【０１１７】
本発明に係るフォーマッタ駆動クロック生成方法，フォーマッタ駆動クロック生成装置，駆動クロック生成装置，光ディスク原盤露光方法および光ディスク原盤露光装置と光ディスクドライブ装置並びにこれにより作成した光ディスク原盤と情報記録媒体は、クロック発生時刻、クロック周期、周期差、およびこれらの平均値を用いた演算により、フォーマッタ駆動クロックを正確に生成して、これを用いることによって、切り換え可能なＣＬＶ駆動とＣＡＶ駆動によるＣＬＶフォーマットの露光形成と、隣接トラック間に正確な位相関係を有する情報トラックを形成して、情報トラック上の各種情報によるクロストークを抑え、光ディスク原盤上に露光による情報トラックとしてＣＡＶ駆動によるＣＬＶフォーマット形成等に有用である。
【図面の簡単な説明】
【０１１８】
【図１】本発明の実施の形態における光ディスク原盤露光装置の基本構成を示すブロック図
【図２】本発明の実施の形態１における経過時間ｔn の変化の様子を模式的に示す図
【図３】本発明の実施の形態１における近似ｔn を模式的に示す図
【図４】本発明の実施の形態１におけるフォーマッタ駆動クロック生成回路の概略構成を示すブロック図
【図５】本発明の実施の形態１における他のフォーマッタ駆動クロック生成回路の概略構成を示すブロック図
【図６】本発明の実施の形態１における基本クロックのカウント値と各遅延パルスの状態指定により基本クロック以下の分解能で遅延されるフォーマッタ駆動クロックのタイミングチャート
【図７】本発明の実施の形態２におけるクロック周期Ｔn の変化の様子を模式的に示す図
【図８】本発明の実施の形態２における近似クロック周期Ｔn を模式的に示す図
【図９】本発明の実施の形態２におけるフォーマッタ駆動クロック生成回路の概略構成を示すブロック図
【図１０】本発明の実施の形態３におけるクロック周期Ｔn の変化の様子を模式的に示す図
【図１１】本発明の実施の形態３における近似クロック周期Ｔn を模式的に示す図
【図１２】本発明の実施の形態３におけるフォーマッタ駆動クロック生成回路の概略構成を示すブロック図
【図１３】本発明の実施の形態４におけるフォーマッタ駆動クロックの生成区間を光ディスクのトラック毎とした場合の近似クロック周期Ｔn を模式的に示す図
【図１４】本発明の実施の形態５における駆動クロック生成装置の概略構成を示すブロック図
【図１５】本発明の実施の形態５における（ａ）はＣＡＶ駆動状態、（ｂ）はＣＬＶ駆動状態におけるＣＬＶフォーマット形成時の各駆動クロックの様子をトラック毎に近似した動作例を示す図
【図１６】本発明の実施の形態５におけるＲＡＭ等の記憶手段にクロックデータを格納した駆動クロック生成データ回路例を示す図
【図１７】本発明の実施の形態６におけるＣＡＶ駆動によるＣＬＶフォーマット露光とＣＬＶ駆動によるＣＬＶフォーマット露光を混在させて処理するクロックの変化を示す図
【図１８】従来のＣＡＶ駆動によるＣＬＶフォーマットを形成するクロック生成回路を示すブロック図
【符号の説明】
【０１１９】
１  露光レーザ
２  露光光学系
３  光量変調器
４  フォーカスアクチュエータ
５  ガラス原盤
６，１０４  光変調器
７，１０３  エンコーダ
８  駆動モータ
９  リニアエンコーダ
１０  エアスライダモータ
１１  スライダモータドライバ
１２  駆動モータドライバ
１３  横送り制御回路
１４  回転駆動制御回路
１５  コントローラ
１６  フォーマット信号発生器
１７  基本クロック発生器
１８  横送り駆動クロック生成回路
１９  回転駆動クロック生成回路
２０  フォーマッタ駆動クロック生成回路
２１  カウンタ回路
２２  レジスタ回路
２３  カウント値一致検出回路
２４  遅延回路
２５  周期データ処理回路
２６  周期生成回路
２７  周期端数累積レジスタ
２８  周期差データ処理回路
２９  周期データ生成回路
３０  周期差端数累積レジスタ
【図１】
2004319059.tif 000024
【図２】
2004319059.tif 000025
【図３】
2004319059.tif 000026
【図４】
2004319059.tif 000027
【図５】
2004319059.tif 000028
【図６】
2004319059.tif 000029
【図７】
2004319059.tif 000030
【図８】
2004319059.tif 000031
【図９】
2004319059.tif 000032
【図１０】
2004319059.tif 000033
【図１１】
2004319059.tif 000034
【図１２】
2004319059.tif 000035
【図１３】
2004319059.tif 000036
【図１４】
2004319059.tif 000037
【図１５】
2004319059.tif 000038
【図１６】
2004319059.tif 000039
【図１７】
2004319059.tif 000040
【図１８】
2004319059.tif 000041